(57)【要約】      （修正有）【課題】組立部品を簡単化させながら製造生産性、経済性を向上させ、互いに異なるカラーや剤形を種々にミックスすることができて優れた使い勝手性、商品性を備えたマルチペンシル型化粧品容器を提供する。【解決手段】ボディ１０の上部の内側の組立段付溝部１１にショルダー３０を抜け止めが図られながら互いに回転可能なように結合し、前記ショルダーの下部に回転作動体４０を内嵌させるが、前記回転作動体の下部の外側とボディの内周縁が凹凸構造に係合していて一緒に回転作動するように結合し、ホルダーの下部のスクリュー軸５１を回転作動体の内部に螺旋結合し、前記ホルダーの上部の皿にペンシル芯材５を少なくとも２つ以上の複数に結合してボディの回転操作によりホルダーの皿がショルダーの内部において昇降しながら複数の芯材を同時に繰り出して使用することができる。【選択図】図１０
2020036892.tif 000002
【特許請求の範囲】
【請求項１】
円筒状の断面構造であって、上部の内外側に組立段付溝部（１１）と結合段付部（１２）を形成するボディ（１０）と、
前記ボディ（１０）の上部の外側の結合段付部（１２）に嵌合させる上部キャップ（２０）と、
前記ボディ（１０）の組立段付溝部（１１）に下部の組立段付部（３１）を内嵌させて結合するが、抜け止めが図られながら互いに回転可能なように結合するショルダー（３０）と、
上部の棒体（４１）と、外周縁に凹凸溝を等角形成する下部の回転部（４２）と、により構成するが、前記下部の回転部（４２）が、ボディ（１０）の組立段付溝部（１１）の下部の内周縁であって、凹凸溝に嵌入する凹凸突起を等角形成する回転作動部（１３）に結合されてボディ（１０）とともに回転作動する回転作動体（４０）と、
下部のスクリュー軸（５１）と、上部にペンシル芯材（５）を嵌入させるための芯材溝（５２ａ）が少なくとも２つ以上の複数に形成される皿（５２）と、により構成するが、前記スクリュー軸（５１）を回転作動体（４０）の上部の棒体（４１）の内部の螺旋部（４４）に螺旋結合し、前記皿（５２）はショルダーの内部に嵌入して昇降動するようにするホルダー（５０）と、
を備え、
複数の芯材（５）を同時に繰り出して使用するようにすることを特徴とするマルチペンシル型化粧品容器。
【請求項２】
前記ショルダー（３０）の内部は、上下の嵌入孔（３５）（３６）を段付き状に形成して前記上嵌入孔（３５）にはホルダーの皿（５２）が昇降案内されるように嵌入させ、下嵌入孔（３６）には回転作動体（４０）の上部の棒体（４１）を嵌合させるが、
前記上嵌入孔（３５）は、上部に皿の抜脱を防止する係止爪（３５ａ）と皿（５２）の芯材溝（５２ａ）に対応する芯材出入孔（３５ｂ）を形成し、前記下嵌入孔（３６）には、上部の棒体（４１）の下部に段付き状に形成される結合部（４５）の外周縁とリング状の結合突起（４５ａ）と結合溝（３６ａ）に嵌入して抜け止めが図られながら回転自在に結合するように構成したことを特徴とする請求項１に記載のマルチペンシル型化粧品容器。
【請求項３】
前記ホルダー（５０）の皿（５２）と前記皿（５２）が嵌入するショルダー（３０）の上嵌入孔（３５）は、長方形の断面構造に形成してショルダー（３０）が昇降案内されるように構成したことを特徴とする請求項１に記載のマルチペンシル型化粧品容器。
【請求項４】
前記ショルダー３０の上下の嵌入孔（３５）（３６）の間には、ホルダー（５０）の皿（５２）を上嵌入孔（３５）に嵌入案内するための傾斜案内部（３７）を両側方に対向形成し、
前記回転作動体（４０）の上部の棒体（４１）は、上部の外側に下嵌入孔（３６）における左右への遊動が防止されるように支持する支持突起（４１ａ）を突設して構成したことを特徴とする請求項１に記載のマルチペンシル型化粧品容器。
【請求項５】
前記皿（５２）の芯材溝（５２ａ）に結合するペンシル芯材（５）は、互いに異なるカラーや剤形に形成して構成することを特徴とする請求項１に記載のマルチペンシル型化粧品容器。
【発明の詳細な説明】
【技術分野】
【０００１】
本発明は、マルチペンシル型化粧品容器に係り、さらに詳しくは、ボディの回転操作によりペンシル芯材が複数に結合されたホルダーを昇降させながら同時に繰り出して使用するが、組立部品を簡単にしつつ、製造生産性、経済性を向上させることはもとより、前記複数のペンシル芯材により互いに異なるカラー、剤形を種々にミックスすることができてメイクアップ をより簡便に且つ様々に行うことのできるマルチペンシル型化粧品容器に関する。
【背景技術】
【０００２】
一般に、ペンシル型化粧品容器は、ペンシル状の芯材を繰り出して使用するものであって、該ペンシル型化粧品容器としては、リップ、ブロウ、アイライナーなどが挙げられる。
【０００３】
この種の従来のペンシル型化粧品容器としては、種々の構造のものが開示されているが、主として、化粧芯材を結合するホルダーをボディの内部に結合し、前記ホルダーをロテーターに螺旋結合して前記ロテーターを回転操作することによりホルダーを前進移動させながらペンシルを繰り出して使用する。
【０００４】
しかしながら、上述した従来のペンシル型化粧品容器は、一つのペンシル芯材を内蔵して繰り出して使用するため、ペンシル芯材が磨耗する速度が速く、一つのカラーのみを使用するため、経済性及び効率性に劣るという問題があった。
【０００５】
また、上述した従来のペンシル型化粧品容器は、ペンシル芯材の厚さに応じて、化粧に際して線が描かれる度合いを異にするが、例えば、厚い断面のペンシル芯材の場合、厚くて濃く線が描かれ、薄い断面のペンシル芯材の場合、複数回繰り返しながら線を描くことを余儀なくされるため、化粧に長時間がかかるという問題と、様々に表現することができないという問題があった。
【０００６】
特に、互いに異なるカラーや剤形の化粧芯材を同時に使用することができないため、より簡便に様々なメイクアップ を行うことができないという限界を有していた。
【先行技術文献】
【特許文献】
【０００７】
【特許文献１】韓国実用新案登録第２０−０２０２７９６号公報
【特許文献２】韓国特許第１０−１４４０５７６号公報
【発明の概要】
【発明が解決しようとする課題】
【０００８】
本発明は、前述した従来の技術が有する諸問題を解決するために案出されたものであって、ボディの回転操作によりペンシル芯材の結合されたホルダーを昇降させながら繰り出して使用するが、組立部品を簡単にしながら、製造生産性、経済性を向上させるところにその目的がある。
【０００９】
特に、前記ホルダーに２つまたは３つ以上の複数のペンシル芯材を結合して同時に繰り出して使用しながら、互いに異なるカラーや剤形を種々にミックスすることができて、メイクアップがより簡便に且つ様々に行えるようにするところにその目的がある。
【課題を解決するための手段】
【００１０】
このような本発明は、円筒状の断面構造であって、上部の内外側に組立段付溝部と結合段付部を形成するボディと、前記ボディの上部の外側の結合段付部に嵌合させる上部キャップと、前記ボディの組立段付溝部に下部の組立段付部を嵌合させるが、抜け止めが図られながら互いに回転可能なように結合するショルダーと、上部の棒体と外周縁に凹凸溝を等角形成する下部の回転部とにより構成するが、前記下部の回転部がボディの組立段付溝部の下部の内周縁であって、凹凸溝に嵌入する凹凸突起を等角形成する回転作動部に結合されてボディとともに回転作動する回転作動体と、下部のスクリュー軸と上部にペンシル芯材を嵌入させるための芯材溝が少なくとも２つ以上の複数に形成される皿から構成するが、前記スクリュー軸を回転作動体の上部の棒体の内部の螺旋部に螺旋結合し、前記皿は、ショルダーの内部に嵌入して昇降動するようにするホルダーと、を備え、複数の芯材を同時に繰り出して使用するようにするところにその特徴がある。
【００１１】
本発明によれば、前記ショルダーの内部は、上下の嵌入孔を段付き状に形成して前記上嵌入孔にはホルダーの皿が昇降案内されるように嵌入させ、下嵌入孔には回転作動体の上部の棒体を嵌合させるが、前記上嵌入孔は、上部に皿の抜脱を防止する係止爪と皿の芯材溝に対応する芯材出入孔を形成し、前記下嵌入孔には上部の棒体の下部に段付き状に形成される結合部の外周縁とリング状の結合突起と結合溝に嵌入して抜け止めが図られながら回転自在に結合するように構成するところにその特徴がある。
【００１２】
本発明によれば、前記ホルダーの皿と前記皿が嵌入するショルダーの上嵌入孔は、長方形の断面構造に形成してショルダーが昇降案内されるように構成するところにその特徴がある。
【００１３】
本発明によれば、前記ショルダーの上下の嵌入孔の間には、ホルダーの皿を上嵌入孔に嵌入案内するための傾斜案内部を両側方に対向形成し、前記回転作動体の上部の棒体は、上部の外側に下嵌入孔における左右への遊動が防止されるように支持する支持突起を突設して構成するところにその特徴がある。
【００１４】
本発明によれば、前記皿の芯材溝に結合するペンシル芯材は、互いに異なるカラーや剤形に形成して構成するところにその特徴がある。
【発明の効果】
【００１５】
このような本発明は、ボディの上部の内側の組立段付溝部にショルダーを抜け止めが図られながら互いに回転可能なように結合し、前記ショルダーの下部に回転作動体を内嵌させるが、前記回転作動体の下部の外側とボディの内周縁が凹凸構造に係合していて一緒に回転作動するように結合し、ホルダーの下部のスクリュー軸を回転作動体の内部に螺旋結合し、前記ホルダーの上部の皿にペンシル芯材を少なくとも２つ以上の複数に結合してボディの回転操作によりホルダーの皿がショルダーの内部において昇降しながら複数の芯材を同時に繰り出して使用するが、組立部品を簡単化させながら、製造生産性、経済性を向上させる。
【００１６】
特に、前記ホルダーの皿に２つまたは３つ以上の複数のペンシル芯材を結合して同時に繰り出して使用するが、互いに異なるカラーや剤形を種々にミックスすることが可能になる。
【００１７】
例えば、２つまたは３つ以上の複数のペンシル芯材を互いに異なるカラーと剤形に混ぜて使用することができて自然なカラーの表現が可能であり、複数のペンシル芯材により、複数回使わなくてもメイクアップを簡便に行うことができることはもとより、カラーと剤形を種々にミックスして使用可能であり、ペンシル芯材の方向に応じて、細い線や太い線を描いて簡便に且つ種々にメイクアップを行うことが可能になる。
【図面の簡単な説明】
【００１８】
【図１】本発明のペンシルの外観斜視図。
【図２】図１における上部キャップの分離状態の斜視図。
【図３】図２のショルダー、回転作動体及びホルダーの分解斜視図。
【図４】図３の組み立て状態の半断面斜視図。
【図５】図４の分解斜視図。
【図６】図４を他の方向から切断した半断面斜視図。
【図７】本発明のペンシルの組み立て状態の正断面図。
【図８】図７のＡ−Ａ矢視図。
【図９】図７のＢ−Ｂ矢視図。
【図１０】本発明の作動状態を示す正断面図。
【発明を実施するための形態】
【００１９】
以下、添付図面に基づき、前述した本発明の好適な実施形態について詳しく説明する。
【００２０】
本発明のマルチペンシル型化粧品容器は、図１から図１０に示すように、ボディ１０、上部キャップ２０、ショルダー３０、回転作動体４０及びホルダー５０を備えてなる。
【００２１】
前記ボディ１０は、円筒状の断面構造に形成し、上部の内外側に組立段付溝部１１と結合段付部１２を形成して構成する。
【００２２】
前記上部キャップ２０は、ボディ１０の上部の外側の結合段付部１２に嵌合するように構成する。
【００２３】
前記ショルダー３０は、下部に組立段付部３１を形成して、ボディ１０の組立段付溝部１１に内嵌させるが、リング状の結合突起１１ａと結合溝３１ａが互いに結合して抜け止めが図られながら互いに回転可能なように構成する。
【００２４】
前記回転作動体４０は、上部の棒体４１と、外周縁に凹凸溝を等角形成する下部の回転部４２と、により構成し、前記下部の回転部４２がボディ１０の組立段付溝部１１の下部の内周縁であって、凹凸溝に嵌入する凹凸突起を等角形成する回転作動部１３に結合されてボディ１０と回転作動体４０が一緒に回転作動するように構成する。
【００２５】
前記ホルダー５０は、下部のスクリュー軸５１と、上部にペンシル芯材５を嵌入させるための芯材溝５２ａが少なくとも２つ以上の複数に形成される皿５２と、から構成して、前記スクリュー軸５１を回転作動体４０の上部の棒体４１の内部に嵌合させる。
【００２６】
このとき、前記回転作動体４０の上部の棒体４１は、円周上に上下に切り欠かれる切込溝４３により内外側に拡開可能であり、内部にスクリュー軸５１が螺旋結合される螺旋部４４を形成して構成する。
【００２７】
また、前記ショルダー３０の内部は、上下の嵌入孔３５、３６を段付き状に形成して前記上嵌入孔３５にはホルダー５０の皿５２が昇降案内されるように嵌入させ、下嵌入孔３６には回転作動体４０の上部の棒体４１を嵌合させて構成する。
【００２８】
そして、前記上嵌入孔３５は、上部に皿５２の抜脱を防止する係止爪３５ａと、皿５２の芯材溝５２ａに対応する芯材出入孔３５ｂと、を形成し、前記下嵌入孔３６には、上部の棒体４１の下部に段付き状に形成される結合部４５の外周縁にリング状の結合突起４５ａが結合溝３６ａに嵌入するように構成して抜け止めが図られながら回転自在に結合するように構成される。
【００２９】
また、前記ホルダー５０の皿５２が嵌入するショルダー３０の上嵌入孔３５は、長方形の断面構造に形成してホルダー５０の回転が防止されながら昇降案内されるように構成する。
【００３０】
そして、前記ショルダー３０の上下の嵌入孔３５、３６の間には、長方形の断面構造に形成されるホルダーの皿５２を上嵌入孔３５に嵌入案内するための傾斜案内部３７を両側方に対向形成する。
【００３１】
すなわち、前記皿５２の長方形をなす側面の胴体が傾斜案内部３７に案内されながら、皿５２を上嵌入孔３５に円滑に嵌入案内する。
【００３２】
そして、前記回転作動体４０の上部の棒体４１は、上部の外側に下嵌入孔３６における左右への遊動が防止されるように内側面に支持される支持突起４１ａを突設して構成する。
【００３３】
さらに、前記皿５２の芯材溝５２ａに結合するペンシル芯材５は、互いに異なるカラーと剤形に形成して複数のペンシル芯材５を同時に繰り出して、なお一層簡便に且つ種々にメイクアップを表現できるように構成する。
【００３４】
特に、前記ショルダー３０とホルダー５０を取り替えることにより、ペンシル芯材５の数、断面形状などを様々に変形して適用することができるということはいうまでもない。
【００３５】
未説明符号の４８は、密閉リングを示す。
【００３６】
次いで、このような構成を有する本発明の作動及び作用について説明する。
【００３７】
まず、回転作動体４０の上部の棒体４１にホルダー５０の下部のスクリュー軸５１を嵌入させる。
【００３８】
このとき、前記上部の棒体４１は、円周上に上下に切り欠かれる切込溝４３により内外側に拡開されながらホルダーの下部のスクリュー軸５１を簡単に嵌入させることはもとより、前記スクリュー軸５１が上部の棒体４１の内部の螺旋部４４に螺旋結合されるように組み立てる。
【００３９】
この状態で、前記回転作動体４０の上部の棒体４１をショルダー３０の内側の下部の下嵌入孔３６に嵌入させて組み立てる。
【００４０】
ここで、前記ショルダー３０の下嵌入孔３６には、上部の棒体４１の下部に段付き状に形成される結合部４５の外周縁がリング状の結合突起４５ａと結合溝３６ａに結合されて抜け止めが図られながら回転自在に結合される。
【００４１】
そして、前記回転作動体４０の上部に結合されているホルダー５０の皿５２は、長方形に形成されてショルダー３０の上嵌入孔３５に嵌入するが、ショルダー３０の上下の嵌入孔３５、３６の間に傾斜案内部３７が形成されてホルダーの皿５２において長方形をなす側面の胴体が案内されるように嵌入するので、皿がショルダー３０の上嵌入孔３５に円滑に嵌入する。
【００４２】
このように、簡単に組み立てられた状態で、前記ホルダー５０の皿５２を昇降動させて前記皿５２に形成される複数の芯材溝５２ａにショルダー３０の上部の芯材出入孔３５ｂを介してペンシル芯材５を嵌合させる。
【００４３】
このとき、前記複数のペンシル芯材５は、互いに異なるカラーや剤形に形成して種々に組み立てて使用することが可能になる。
【００４４】
このようにして組み立てられる本発明の容器を使用したい場合には、上部キャップ２０を開放した状態でボディ１０とショルダー３０を手で掴んでボディ１０を回転調節する。
【００４５】
前記ボディ１０の回転調節によりボディ１０の組立段付溝部１１の下部の内周縁に形成された回転作動部１３に回転作動体４０の下部の回転部４２の外側に等角形成された凹凸突起が係合するように結合されていて、ボディ１０とともに回転作動体４０が回転作動する。
【００４６】
このとき、前記回転作動体４０の上部の棒体４１は、上部の外側の支持突起４１ａがショルダー３０の下嵌入孔３６の内壁面に支持されて左右への遊動なしに一定に回転作動する。
【００４７】
このように、前記回転作動体４０の回転により回転作動体４０の螺旋部４４に螺旋結合されているホルダー５０の下部のスクリュー軸５１が昇降調節され、前記スクリュー軸５１の上部の皿５２がショルダー３０の上嵌入孔３５において昇降動するので、化粧芯材５をショルダー３０の上部に繰り出し調節する。
【００４８】
特に、前記ホルダー５０の皿５２には２つまたは３つ以上の複数のペンシル芯材５を結合して同時にショルダー３０の上芯材出入孔３５ｂを介して繰り出して使用する。
【００４９】
すなわち、複数のペンシル芯材５により、複数回使用しなくてもメイクアップを簡便に行うことができることはもとより、ペンシル芯材５のカラーと剤形を互いに異なるように種々に構成して互いに異なるカラーと剤形に混ぜて使用することができて、自然なカラーの表現が可能であり、ペンシル芯材の方向に応じて、細い線や太い線で簡便に且つ種々にメイクアップをすることが可能になる。
【符号の説明】
【００５０】
５  ペンシル芯材
１０  ボディ
１１  組立段付溝部
１２  結合段付部
１３  回転作動部
２０  上部キャップ
３０  ショルダー
３１  組立段付部
３５、３６  上下の嵌入孔
３５ａ  係止爪
３５ｂ  芯材出入孔
３６ａ  結合溝
３７  傾斜案内部
４０  回転作動体
４１  上部の棒体
４１ａ  支持突起
４２  下部の回転部
４４  螺旋部
４５  結合部
４５ａ  結合突起
５０  ホルダー
５１  スクリュー軸
５２  皿
５２ａ  芯材溝
【図１】
2020036892.tif 000003
【図２】
2020036892.tif 000004
【図３】
2020036892.tif 000005
【図４】
2020036892.tif 000006
【図５】
2020036892.tif 000007
【図６】
2020036892.tif 000008
【図７】
2020036892.tif 000009
【図８】
2020036892.tif 000010
【図９】
2020036892.tif 000011
【図１０】
2020036892.tif 000012